(57)【要約】      （修正有）【課題】  仰向けに横たわる身体の腹上に置き、転がすことで、腹部及び、腸などの腹部内臓を簡単、効果的、効率的にマッサージすることができることを特徴とする、腹部内臓マッサージ具を提供する。【解決手段】  中心内部に金属あるいは、鉱物、セラミックス、合成樹脂などの重量の重い材料からなる球形を基本形状としたボール状の核（１）を有する前記核（１）よりも軟質の材料により形成された球形または回転対称性を持つ多面体を基本形状としたマッサージ体（２）の外面に、複数の等しい高さの突起（３）が設けられた、重さ０．５キログラムから８キログラムの重量を有する突起付きマッサージ具であり、これを仰向けに横たわる身体の腹上において使用し、その重さと圧力を利用して腹部のツボ及び、腸などの腹部内蔵のマッサージを簡単、効率的に施すことができることを特徴とする腹部内臓マッサージ具。【選択図】図２
0003118557.tif 000002
【実用新案登録請求の範囲】
【請求項１】
中心内部に金属あるいは、鉱物、セラミックス、合成樹脂などの重量の重い材料からなる球形を基本形状としたボール状の核（１）を有する前記核（１）よりも軟質の材料により形成された球形または回転対称性を持つ多面体を基本形状としたマッサージ体（２）の外面に、複数のほぼ等しい高さの突起（３）が設けられた、重さ０．５キログラムから８キログラムの重量を有する突起付きマッサージ具であり、これを仰向けに横たわる身体の腹上において使用し、その重さと圧力を利用して腹部のツボ及び、腸などの腹部内蔵のマッサージを簡単、効率的に施すことができることを特徴とする腹部内臓マッサージ具。
【請求項２】
前記突起（３）が等しい間隔において配置されており、その突起（３）の数が６個から６０個の範囲で設けられている請求項１記載の腹部内臓マッサージ具。
【請求項３】
前記突起（３）の数を１２個とし、その頂点を線で結ぶと正２０面体になるよう等間隔に配置された請求項１または請求項２記載の腹部内臓マッサージ具。
【請求項４】
前記突起（３）の先端の形状を半球状または球状にした請求項１及至３の腹部内臓マッサージ具。
【考案の詳細な説明】
【技術分野】
【０００１】  本考案は、直径５センチメートルから３０センチメートルの大きさと、重さ０．５キログラムから８キログラムの重量を有する、表面に複数の凹凸あるいは突起を設けた球状のマッサージ具であり、これを仰向けに横たわる身体の腹上において使用し、その重さと圧力を利用して、腹部のツボ及び、腸などの腹部内蔵を簡単、効率的にマッサージすることができることを特徴とする腹部内臓マッサージ具に関するものである。
【背景技術】
【０００２】  従来、腸などの腹部内蔵のマッサージは手や、手持ちの指圧棒を使用して腹部を押していた。
【考案の開示】
【考案が解決しようとする課題】
【０００３】  そのために、次のような問題点があった。
（イ）手、あるいは手持ちの指圧棒で腹部を押したとき、反作用による押返しをまともに受ける為、手、腕、肩などに相当な負担がかかり疲労しやすく効率的でない。
（ロ）腸などの腹部内臓のマッサージは、腹部全体いった広範囲なエリアを刺激しほぐすことを目的としており、指圧棒などのツボを押すようなピンポイントの刺激では、十分なそれを実現するのは困難だった。
（ハ）指圧棒で腹部を押したときその接触面の狭さから、刺激が局所的になり過ぎ必要以上の痛みをともなうことがあった。
本考案は以上のような問題点を解決するためになされたものである。
【課題を解決するための手段】
【０００４】  中心内部に金属あるいは、石、砂などの鉱物、またはセラミックス、合成樹脂などの重量の重い材料からなる球形を基本形状としたボール状の核（１）を有する前記核（１）よりも軟質の材料により形成された球形または回転対称性を持つ多面体を基本形状としたマッサージ体（２）の外面に、高さ０．５センチメートルから５センチメートルの等しい高さの突起（３）が等しい間隔において配置されており、その突起（３）の数が６個から６０個の範囲で設けられている、直径５センチメートルから３０センチメートルの大きさと、重さ０．５キログラムから８キログラムの重量を有する突起付きマッサージ具であり、これを仰向けに横たわる身体の腹上に置き、転がすことで、その重さと圧力を利用して腹部のツボ及び、腸などの腹部内蔵のマッサージを簡単、効率的に施すことができることを特徴とする腹部内臓マッサージ具である。
【考案の効果】
【０００５】  本考案は、腹部及び、腸などの内臓のマッサージを施すさい、本考案を仰向けに横たわる身体の腹上に置き、転がすことで、腹部、内臓、及びインナーマッスルを本考案の重さと圧力を利用して簡単、効率的に刺激し、こわばりをほぐす。そのマッサージ効果により腸のぜん動運動や排便などの体内運動を促進させることができる。本考案にかかる万有引力を利用しているため、従来の手押しによる内臓マッサージに比べ、大幅に手、腕、肩、脇のなどの筋肉への負担、疲労を軽減でき、一人でも簡単に、より効率的なマッサージを実現する。腹部との接触面が広いため、広範囲に効果的、効率的に腹部および、腸などの内臓を刺激しほぐすことができ、指圧棒使用時にともなうような不必要な過度の痛みを無くし、より安全で快適な腹部、腸および内臓のマッサージを実現する。
また、お腹まわり臍まわりには内蔵機能を活性化させる中院、天枢、関元などの東洋医学で言うところのさまざまなツボがあり、本考案はそれらを効果的、効率的に刺激することができる。
また、インドヨーガの見地から、お腹まわり臍まわりには身体の全エネルギーの起点とされるマニプールチャクラに属するナービマルマと呼ばれる反射帯域があり、そこを刺激することで、全身の神経および内部器官、内分泌腺を腑活し機能を強化すると言われている。またナービマルマの刺激は内蔵を整え消化器の働きを高める。本考案はそれらを効果的、効率的に刺激することができる。
加えて、本発明は腹部の反作用にともなうエネルギー消費により、腹部の血流とリンパの流れを活性化することで腹部の脂肪の燃焼と排出を促進させ、ダイエットにも役立つ。
【考案を実施するための最良の形態】
【０００６】  以下、本考案の実施形態について説明する。
中心内部に金属あるいは、鉱物、セラミックス、合成樹脂などの重量の重い材料からなる球形または楕円形のような基本形状をしたボール状の核（１）を有する、肌触り、フィット感、安全性を考慮し、ゴムや樹脂などの硬めの弾性素材で形成された球形または回転対称性を持つ多面体を基本形状としたマッサージ体（２）の外面に、高さ０．５センチメートルから５センチメートルの等しい高さの凹凸あるいは突起（３）が等しい間隔において配置されており、その突起（３）の数が６個から６０個の範囲で設けられている、直径５センチメートルから３０センチメートルの大きさと、重さ０．５キログラムから８キログラムの重量を有する突起付き球状の腹部内臓マッサージ具とする。
本考案は以上の構成よりなり、これを使用するときは、本考案を仰向けに横たわる身体の腹上に置き、臍を中心としてのの字を書くように腹上を転がす。万有引力を利用しているため従来の手押しによる内臓マッサージに比べ、手、腕、肩、脇の筋肉への負担を大幅に軽減し、簡単に効率的に腹部、腸及び内臓及びインナーマッスルを刺激し、こわばりをほぐし、マッサージを施すことができる。
【実施例】
【０００７】  核（１）を覆うマッサージ体（２）に設けられた複数の突起（３）の形状を球形または半球状とし、その数を１２個とし、その頂点を線で結ぶと正２０面体になるように配置することもできる。これにより、適度な転がりやすさと安定感を持ち、なおかつ指圧効果の高い腹部内臓マッサージ具が実現される。また使用目的によって、本考案の大きさ、重さ、突起の数などを変えれば、力の配分やマッサージ効果などにも変化をつけることができ、老若男女に幅ひろく対応できる。
【図面の簡単な説明】
【０００８】
【図１】本考案の斜視図
【図２】本考案の断面図
【図３】本考案の使用状態を示す斜視図
【符号の説明】
【０００９】      １  核
２  マッサージ体
３  突起
【図１】
0003118557.tif 000003
【図２】
0003118557.tif 000004
【図３】
0003118557.tif 000005